(57)【要約】【課題】ＣＴ形鋼などの剛材からなるスペーサーでかぶりを確保でき、しかも、コンクリートの打設に並行してスペーサーを引抜き除去していくことで最終的にコンクリート中にスペーサーを残さず、繰り返し使用が可能である。【解決手段】先端尖り部を有し、上方に引抜き除去可能な縦材であり、上端部は型枠上端に設置する固定治具で締め付け掛止できる除去式スペーサーであり、片面を型枠に接触させながら、除去式スペーサーを型枠と鉄筋の間に挿入し、所定の深さに到達したら、上端部を固定冶具で型枠に固定し、コンクリートを一層打設した後、固定冶具を緩めて、除去式スペーサーを一層分の長さコンクリートから引き上げる、この繰り返しでスペーサーを完全に除去する。【選択図】  図１
2014055400.tif 000002
【特許請求の範囲】
【請求項１】
先端に尖り部を有し、上方に引抜き除去可能なバー状縦材であり、上端部は型枠上端に設置する固定治具で締め付け掛止できることを特徴とした除去式スペーサー。
【請求項２】
バー状縦材は、アルミニウム合金製である請求項１記載の除去式スペーサー。
【請求項３】
バー状縦材は、ウェブ部を垂直方向に２分割し、各分割体相互の重合量を変化させることで鉄筋と型枠の所定の距離に応じて調整する部分を備える請求項１または請求項２記載の除去式スペーサー。
【請求項４】
先端尖り部を有し、上方に引抜き除去可能なバー状縦材であり、上端部は型枠上端に設置する固定治具で締め付け掛止できる除去式スペーサーであり、片面を型枠に接触させながら、除去式スペーサーを型枠と鉄筋の間に挿入し、所定の深さに到達したら、上端部を固定冶具で型枠に固定し、コンクリートを一層打設した後、固定冶具を緩めて、除去式スペーサーを一層分の長さコンクリートから引き上げる、この繰り返しでスペーサーを完全に除去することを特徴とする型枠工法。
【発明の詳細な説明】
【技術分野】
【０００１】
本発明は、鉄筋と型枠との間隙寸法（かぶり）を保持することができると共に、コンクリート打設終了時には、鉄筋と型枠との間から容易に除去することができる除去式スペーサーおよびそれを使用した型枠工法に関するものである。
【背景技術】
【０００２】
鉄筋コンクリート製の橋脚、擁壁、函体の側壁などは、基礎スラブから鉄筋コンクリート製の柱、壁が立ち上がった形状をしている。
【０００３】
鉄筋コンクリート製の柱、壁は、コンクリートの中に主筋（縦方向鉄筋）、配力筋（横方向鉄筋またはフープ筋）、および、せん断補強鉄筋（配力筋と配力筋をつなぐように配置）が配置される。
【０００４】
コンクリート表面から鉄筋までの距離（かぶり）を規定値以上確保することが求められており、かぶりを確保するために図１１に示すようにスペーサー４が鉄筋と型枠の間に配置される。図中１は型枠、２は主筋、３は配力筋を示す。
【０００５】
スペーサー４としては、プラスチック製、コンクリート製などの各種材質と形状のものがあり、実際に用いられているが、以下のような問題がある。
（１）プラスチックスペーサーはコンクリートの硬化時の温度上昇（５０〜６０℃）によりコンクリートにひび割れを発生することがあり使用が制限されている（コンクリートとプラスチックの線膨張率の差が原因）。
（２）コンクリートの表面部に異物が入るためコンクリートの打設時のブリージングによる沈降、乾燥収縮により、スペーサーの種類に関係なく近傍にひび割れが入ることがある。
【０００６】
下記特許文献は、コンクリートが打設されるまでは鉄筋と型枠との間隙寸法を保持することができると共に、コンクリート打設後は、鉄筋と型枠との間から容易に除去することができるものとして提案されたもので、スペーサーを、中空パイプ体と、この中空パイプ体の一端部に配設された風船体と、から構成し、該風船体は、例えば、ゴム等の耐圧性に優れた耐アルカリ性材質で拡縮自在に形成したことを特徴とするものである。
【特許文献１】特開平１０−２６６４６９号公報
【０００７】
この特許文献１によれば、スペーサーの風船体に予め流体を封入して膨張させ、この膨張した風船体を型枠と鉄筋との間に配置した後、コンクリートを打設し、上記風船体から流体を抜いて風船体を収縮させて上記型枠と鉄筋との間から除去するように用いることで、この種の作業性を大幅に簡略化することができると共に、建物（建造物）の強度（耐久性）を長期間保持することができる。
【発明の概要】
【発明が解決しようとする課題】
【０００８】
前記特許文献１のスペーサーは、風船体を使用するものであり、安定性に欠くとともに、風船体を所定の大きさに膨らませるコンプレッサ等を必要とするなど面倒である。また、コンクリートを打設し、コンクリートが型枠間に十分充填された後に風船体を収縮させて引き抜くものであり、コンクリートの打設に並行してスペーサーを除去することはできない。
【０００９】
本発明の目的は前記従来例の不都合を解消し、ＣＴ形鋼などの剛材からなるスペーサーでかぶりを確保でき、しかも、コンクリートの打設に並行してスペーサーを引抜き除去していくことで最終的にコンクリート中にスペーサーを残さず、繰り返し使用が可能である除去式スペーサーおよびそれを使用した型枠工法を提供することにある。
【課題を解決するための手段】
【００１０】
前記目的を達成するため本発明は、除去式スペーサーとしては、先端に尖り部を有し、上方に引抜き除去可能なバー状縦材であり、上端部は型枠上端に設置する固定治具で締め付け掛止できること、および、バー状縦材は、アルミニウム合金製であること、さらに、バー状縦材は、ウェブ部を垂直方向に２分割し、各分割体相互の重合量を変化させることで鉄筋と型枠の所定の距離に応じて調整する部分を備えることを要旨とするものである。
【００１１】
除去式スペーサーを用いた型枠工法としては、先端尖り部を有し、上方に引抜き除去可能なバー状縦材であり、上端部は型枠上端に設置する固定治具で締め付け掛止できる除去式スペーサーであり、片面を型枠に接触させながら、除去式スペーサーを型枠と鉄筋の間に挿入し、所定の深さに到達したら、上端部を固定冶具で型枠に固定し、コンクリートを一層打設した後、固定冶具を緩めて、除去式スペーサーを一層分の長さコンクリートから引き上げる、この繰り返しでスペーサーを完全に除去することを要旨とするものである。
【００１２】
本発明によれば、コンクリートの打設に並行して引抜き除去していくことができ、最終的にはコンクリート中にスペーサーを残さないですむもので、
（１）除去式スペーサーであり、コンクリート表面に異物が残らないことからスペーサーに起因するひび割れなど、コンクリートに不具合が発生しない。
（２）転用して使用できるため、残置式スペーサーに比べ大幅なコストダウンとなる。
（３）除去式スペーサーを挿入することによりかぶり（型枠と鉄筋の離隔）の測定、検査を代用できる。
ものである。
【発明の効果】
【００１３】
以上述べたように本発明の除去式スペーサーおよび型枠工法は、剛材の使用が可能で、スペーサーとしての安定した使用が得られ、しかも、コンクリートの打設に並行してスペーサーを引抜き除去していくことで最終的にはコンクリート中に残さないですむものである。
【発明を実施するための最良の形態】
【００１４】
以下、図面について本発明の実施の形態を詳細に説明する。図１は本発明の除去式スペーサーおよび型枠工法の１実施形態を示す側面図で、図中１は型枠、２は主筋、３は配力筋を示す。
【００１５】
本発明のスペーサー５は、型枠１と鉄筋（主筋２、配力筋３）の間に挿入するものとして、上方に引抜き除去可能なバー状縦材であり、上端部は型枠１の上端に設置する固定治具６で締め付け掛止できるものとした。
【００１６】
前記縦材は剛材であれば、金属製、合成樹脂製等特に限定はない。金属製の場合、鋼材でもよいが、軽量性やさび、腐食防止の点からアルミニウム合金製が好適である。
【００１７】
前記スペーサー５は、型枠、鉄筋の間にスペーサーを挿入することから、先端には型枠側から上昇するテーパーをつけることにより挿入し易くなるように先端尖り部７を有するものとした。
【００１８】
スペーサー５の基本構造は、その横断面が、図２に示すＴ形、図３に示すＨ形、図４に示す円形など横倒れしない形状から選択できる。これ以外でも、Ｉ形、Ｌ形、□形等も考えられる。
【００１９】
また、他の実施形態として、図５、図６に示すように、ウェブ部を垂直方向に２分割し、各分割体の側縁相互を重ね合わせるとともに、その重合量を変化させることで鉄筋と型枠の所定の距離に応じて幅を調整する部分を備えるものとした。
【００２０】
前記Ｔ形、Ｈ形の場合、各分割体のウェブ部分が重さなるので、分割体のウェブ部分に設けた横長孔８同士を合わせ、止めボルト９により締結する。この横長孔８は各分割体のいずれか一方にのみ設けたものでもよい。
【００２１】
前記固定治具６は図７、図８に示すように、前後に型枠１およびそれに添うスペーサー５のフランジ部５ａを挟み込む挟持片６ａとそれらの連結片６ｃをもって矩形に枠組んだものであり、一方の挟持片６ａにはネジ部先端が型枠１に当接する止めボルト１１を貫通させて設け、他方の挟持片６ａにはスペーサー５のウェブ５ｂが通るスリット１２を形成した。
【００２２】
さらに、前記挟持片６ａの裏側に、スペーサー５のフランジ部５ａを挟み込む際の緩衝材としてゴム板１３を貼設しておいてもよい。
【００２３】
このようにして固定治具６はスペーサー５のフランジ部５ａを型枠１に添わせた状態で、これらを前後から挟持片６ａで挟み込み、止めボルト１１をもって締付け固定するものであり、それにより型枠１にスペーサー５は固定される。
【００２４】
次に、前記除去式スペーサー５を用いた型枠工法について説明する。設計的に要求されている配力筋と型枠の空間幅に対応した幅の、Ｈ形、Ｔ形、幅調整機能付きＴ形またはＨ形のスペーサー５を鉛直方向に配置する。
【００２５】
スペーサー５はコンクリートが打設される前に、型枠と鉄筋（配力筋）の間に挿入、設置し、固定治具６により型枠１の上部に仮固定する。
【００２６】
スペーサー５の横方向間隔（配置間隔）は概ね０．５〜１．０ｍとする。具体的には、打継目（打設する柱、側壁の下端）から型枠の上部まで概ね０．５〜１．０ｍ間隔で型枠と鉄筋（配力筋）の間にスペーサー５を鉛直方向に配置する。
【００２７】
コンクリート１層の打設層厚を５０ｃｍとした場合、図９、図１０に示すように、１層目の打設を完了した時点で固定治具６を緩めてスペーサー５を５０ｃｍ引き上げ、固定治具６により固定する。
【００２８】
スペーサー５の近傍にバイブレーターを挿入し、スペーサー５を引き上げた部分の隙間を充填、締固める。
【００２９】
２層目のコンクリート打設時には通常通り１層目の上部までバイブレーターを挿入し、層境を一体化する。２層目が完了した時点でスペーサーを５０ｃｍ引き上げ、固定治具６により型枠１に固定する。
【００３０】
２層目のスペーサー部にバイブレーターを挿入し、スペーサー５の隙間を充填、締固める。この繰り返しで最終打設層まで繰り返す。
【００３１】
付随的に、このスペーサー５が無理なく挿入できることにより、全深さにわたって所要の隙間（かぶり）が確保されていることも確認できる。
【図面の簡単な説明】
【００３２】
【図１】本発明の除去式スペーサーおよび型枠工法の１実施形態を示す側面図である。
【図２】Ｔ形のスペーサーの説明図である。
【図３】Ｈ形のスペーサーの説明図である。
【図４】円形のスペーサーの説明図である。
【図５】幅調整部分を備えたスペーサーの側面図である。
【図６】幅調整部分を備えたスペーサーの要部の側面図である。
【図７】固定治具部分の側面図である。
【図８】固定治具部分の平面図である。
【図９】引き上げ状態を示す側面図である。
【図１０】引き上げ状態を示す斜視図である。
【図１１】従来例を示す側面図である。
【符号の説明】
【００３３】
１…型枠                  ２…主筋
３…配力                  ４、５…スペーサー
５ａ…フランジ部          ５ｂ…ウェブ
６…固定治具              ６ａ…挟持片
６ｃ…連結片              ７…先端尖り部
８…横長孔                ９…止めボルト
１１…止めボルト          １２…スリット
１３…ゴム板
【図１】
2014055400.tif 000003
【図２】
2014055400.tif 000004
【図３】
2014055400.tif 000005
【図４】
2014055400.tif 000006
【図５】
2014055400.tif 000007
【図６】
2014055400.tif 000008
【図７】
2014055400.tif 000009
【図８】
2014055400.tif 000010
【図９】
2014055400.tif 000011
【図１０】
2014055400.tif 000012
【図１１】
2014055400.tif 000013